(57)【特許請求の範囲】
【請求項１】
記録シート材に画像情報を記録する記録装置部と、
前記記録シート材を収納するカセットと、
前記記録装置部に設けられていてカセット内の記録シート材の有無を判別するシート材有無センサと、
前記記録装置部と前記カセットとをそれぞれ引き出し可能に保持する枠体と、を備え、
前記記録装置部と前記カセットとは、その引き出し方向が互いに異なっていることを特徴とする画像記録装置。
【請求項２】
前記シート材有無センサは、前記カセット内の記録シート表面に接する紙無し検知アームを備え、
該紙無し検知アームは、記録シート材の有無、前記カセット及び前記記録装置部の前記枠体からの出し入れに応じて、上下に移動可能であることを特徴とする請求項１記載の画像記録装置。
【請求項３】
前記紙無し検知アームは、カップ部及びこれと一体の柄部からなるスプーン形状をなし、該紙無し検知アームの柄部を回動中心としてカップ部が記録シート材に接して上下に回動することを特徴とする請求項２記載の画像記録装置。
【請求項４】
前記紙無し検知アームは、該紙無し検知アームのカップ部の重さを軽減する向きに付勢する付勢手段を設けたことを特徴とする請求項３記載の画像記録装置。
【請求項５】
前記紙無し検知アームは、該紙無し検知アームの柄部のカップ部近傍に回動中心を設けたことを特徴とする請求項３記載の画像記録装置。
【請求項６】
前記記録装置部から着脱可能であって前記記録シート材に画像を記録する記録手段と、を備え、
該記録手段は、前記記録装置部を前記枠体から引き出した後、前記記録装置部の上方に着脱可能であることを特徴とする請求項１ないし５のいずれか１項に記載の画像記録装置。
【請求項７】
前記記録手段は、感光ドラムを備えたプロセスカートリッジであることを特徴とする請求項６記載の画像記録装置。
【請求項８】
前記記録装置部の上方に配置され、原稿を読み取り可能な読取部を備え、
前記読取部からの画像情報、又は外部機器からの画像情報を、前記記録装置部に入力することを特徴とする請求項１ないし７のいずれか１項に記載の画像記録装置。
【請求項９】
前記読取部は、原稿を露光走査することにより得た反射光像を読取センサに集光して画像情報に変換可能であり、該画像情報は、前記記録装置部への入力又は前記外部機器への出力が可能であることを特徴とする請求項８記載の画像記録装置。
【発明の詳細な説明】
【０００１】
【発明の属する技術分野】
本発明は、画像記録装置に係り、詳細には、例えば、複写機、ファクシミリなどの構成部のレイアウトを改良した画像記録装置に関する。
【０００２】
【従来の技術】
従来、レーザビームプリンタ（以下、ＬＢＰという）では、転写されたトナーの安定のために、転写部分の記録シートの搬送路を略水平にし、これに応じて、ドラム、トナー等を収めたプロセスカートリッジ（以下、ＣＲＧという）を、この搬送路に対して垂直となる上方に着脱して交換するように構成していることが多い。このようにすると、ＣＲＧを手前（搬送路と平行な方向）に引き出す方式に比べ、転写ローラを解除しなくて済むので構成が簡単になるという利点もある。
【０００３】
【発明が解決しようとする課題】
しかしながら、このＬＢＰを記録部として用いて複写機やファクシミリを構成する場合、ブック原稿を読み取るための読取部を、プリンタの上部に配置しようとすると、ＣＲＧを着脱するためのスペースを確保するために、記録部と読取部との間に、ある程度の間隙をおかなければならない。その結果として、装置全体の高さが増し、操作性の悪化、専用ペディスタル使用による高コスト化を招いてしまうという問題があった。
【０００４】
移動するミラー台や、移動するコンタクトセンサをもたない装置、すなわち、原稿台移動型の読取部をもつ装置では、原稿台ガラスと薄手の圧板のみをスライドさせて、ＣＲＧを上方に着脱するように構成することもできる。しかし、移動するミラー台や移動するコンタクトセンサをもち、また、重量のかさむＤＦやＡＤＦ、ＲＤＦを搭載する必要のある原稿台固定型の読取部をもつ装置では、原稿台ガラスのみをスライドさせても、ミラー台等の移動光学系や、ＤＦ等のヒンジ部が邪魔になって、ＣＲＧを容易には着脱できない。
【０００５】
また、読取部全体を大きな蓋のように開ける、いわゆるワニ口タイプとすることもできるが、これは、重量のかさむＤＦやＡＤＦ、ＲＤＦを搭載すると開閉時に、装置のバランスを保つのが困難で、装置の設置部分を広げてすわりを良くする必要があり、結果的に、設置面積の大きな場所を取る装置となってしまう。
【０００６】
さらに、読取部全体をスライドさせて記録部上部を開放する方法もあるが、枠体構造が上下に大きく分割されるので、スライド時の機械的強度を確保するため、上下（読取部と記録部）それぞれの枠体に、補強部材が余計に必要になってしまう。
【０００７】
この課題を解決するため、記録部を枠体から引き出してＣＲＧを記録部の上方で着脱することのできる装置が提案されている。それによって、上方に着脱できるＣＲＧと、各種読取アクセサリを付加することのできる省スペースの原稿台固定型の読取部とを用いながら、高さを低く、設置面積を小さく抑えた、操作性の良い複写機、ファクシミリ等の画像記録装置となっている。
【０００８】
ところが、装置の操作性を考慮して、紙カセットを、記録部とは別に枠体の前方に引き出すフロントローディング方式を採用しようとすると、記録部を枠体から側方に引き出す際、記録紙の有無を検知する紙無し検知センサが、紙カセットと干渉してしまうという課題が新たに発生した。
【０００９】
紙無し検知センサは、通常、シート材としての紙に接する紙無し検知アームが、紙カセットの引き出しに応じて、上下に逃げるように構成されている。この紙無し検知アームは、記録部から紙カセットに垂れ下がるように設けられており、紙無し検知アームを支軸で回動支持して、紙カセットの引き出しに応じて、紙カセットの側壁等に、紙無し検知アームの斜面部分を乗り上げさせて自動的に回動し、上方に回避するようにしている。ここで、記録部を枠体から側方に引き出そうとすると、この通常の回避方向とは向きが異なるので、うまく紙無し検知アームが回動せず、紙カセットの側壁や他の構造物に引っ掛かってしまう。
【００１０】
本発明の目的は、上記課題を解決し、紙カセットがフロントローディング方式の画像記録装置であっても、上方に着脱できるＣＲＧと、各種読取アクセサリを付加することのできる省スペースの原稿台固定型の読取部とを用いながら、高さを低く、設置面積を小さく抑えた、操作性の良い複写機、ファクシミリ等の画像記録装置を提供することにある。
【００１１】
【課題を解決するための手段】
請求項１に係る発明は、記録シート材に画像情報を記録する記録装置部と、
前記記録シート材を収納するカセットと、
前記記録装置部に設けられていてカセット内の記録シート材の有無を判別するシート材有無センサと、
前記記録装置部と前記カセットとをそれぞれ引き出し可能に保持する枠体と、を備え、
前記記録装置部と前記カセットとは、その引き出し方向が互いに異なっていることを特徴とする。
【００１２】
請求項２に係る発明は、前記シート材有無センサは、前記カセット内の記録シート表面に接する紙無し検知アームを備え、
該紙無し検知アームは、記録シート材の有無、前記カセット及び前記記録装置部の前記枠体からの出し入れに応じて、上下に移動可能であることを特徴とする。
【００１３】
請求項３に係る発明は、前記紙無し検知アームは、カップ部及びこれと一体の柄部からなるスプーン形状をなし、該紙無し検知アームの柄部を回動中心としてカップ部が記録シート材に接して上下に回動することを特徴とする。
【００１４】
請求項４に係る発明は、前記紙無し検知アームは、該紙無し検知アームのカップ部の重さを軽減する向きに付勢する付勢手段を設けたことを特徴とする。
【００１５】
請求項５に係る発明は、前記紙無し検知アームは、該紙無し検知アームの柄部のカップ部近傍に回動中心を設けたことを特徴とする。
【００１６】
請求項６に係る発明は、前記記録装置部から着脱可能であって前記記録シート材に画像を記録する記録手段と、を備え、
該記録手段は、前記記録装置部を前記枠体から引き出した後、前記記録装置部の上方に着脱可能であることを特徴とする。
【００１７】
請求項７に係る発明は、前記記録手段は、感光ドラムを備えたプロセスカートリッジであることを特徴とする。
【００１８】
請求項８に係る発明は、前記記録装置部の上方に配置され、原稿を読み取り可能な読取部を備え、
前記読取部からの画像情報、又は外部機器からの画像情報を、前記記録装置部に入力することを特徴とする。
【００１９】
請求項９に係る発明は、前記読取部は、原稿を露光走査することにより得た反射光像を読取センサに集光して画像情報に変換可能であり、該画像情報は、前記記録装置部への入力又は前記外部機器への出力が可能であることを特徴とする。
【００２０】
［作用］
以上構成に基づき、シート材を収納するカセットと、シート材に画像情報を記録する記録装置部とは、異なる交差する方向に引き出される。これにより、例えば、画像記録装置に含まれる記録手段を上方に着脱自在とすることができて、例えば、画像記録装置に各種読取アクセサリを付加することのできる省スペースの原稿台固定型の読取部とを用いながら、高さを低く、設置面積を小さく抑えた、操作性の良い複写機、ファクシミリ等の画像記録装置が実現される。
【００２１】
【発明の実施の形態】
〈実施の形態１〉
以下、図面を参照して本発明の実施の形態１について説明する。
【００２２】
図１は、本発明に係る画像記録装置を、ファクシミリ装置として構成した場合の外観斜視図であり、図２は画像記録装置の縦断正面図である。
【００２３】
［装置全体の概略］
まず、装置全体の概略と各部の説明を行う。
【００２４】
図１、図２及び図４において、１３０はフラットベッドスキャナであって、原稿台ガラス１３０ａ上に置かれた原稿Ｂを読み取る。１０２は圧板で、使用者が図４のように上下に開閉することができ、原稿台ガラス１０３ａ上に置かれた原稿Ｂを押さえるものである。１０８は画像を読み取るＣＣＤイメージセンサである。
【００２５】
圧板１０２の上面には、原稿Ｓを複数枚積載することができるように構成された原稿台１０２ｂを有している。１０６は原稿Ｓを１枚ずつ分離しつつ搬送を行う原稿搬送部であって、シート読取部１０７に原稿Ｓを搬送させながら原稿Ｓを読み取る。ここで、原稿搬送部１０６は、圧板１０２の一部に設けられており、圧板１０２の開閉とともに上下動する。１０９は、排出された原稿Ｓを積載する原稿排紙トレイである。
【００２６】
１０４は、レーザービームプリンタからなる記録装置部、１１２はカセット給紙部、１２５は手差し給紙部、１１１は画像形成を行うプロセスカートリッジ、１１６は定着部、１１７は排紙ローラ対、１１３は排出された記録紙を積載する記録紙排紙トレイである。
【００２７】
１０５は、表示部・入力部等により構成された操作部、１２０（図１３）はファクシミリ装置の制御部である。
【００２８】
フラットベッドスキャナ１３０、記録装置部１０４、操作部１０５は、装置全体を機械的に構成する枠体２００にそれぞれ設けられている。
【００２９】
［フラットベッドスキャナ部］
フラットベッドスキャナ部１３０は、シート状の原稿や本などの厚みのあるブック原稿を静止させた状態で読み取るために、原稿を載置する原稿台ガラス１３０ａが設けられている。
【００３０】
１０２ｅは原稿押さえ板であり、圧板１０２に対して固定して支持されており、圧板１０２を閉じることで、原稿台ガラス１３０ａ上の原稿を押圧することで、原稿が浮いてＣＣＤイメージセンサ１０８の焦点深度からはずれ、読取画像が乱れるのを防いでいる。１３０ｂは、フラットベッドスキャナ部１３０の構造体となるフレームであり、原稿台ガラス１３０ａを支持している。
【００３１】
ここで、圧板１０２は、回転中心軸にヒンジ１５０ａ、１５０ｂがフレーム１３０ｂと間に設けられ、圧板１０２がフレーム１３０ｂに対して所定の角度だけ回転開閉可能に構成されており、使用者が圧板１０２を開き原稿台ガラス１３０ａ面上に原稿を載置する構成になっている。また、ヒンジ１５０ａ、１５０ｂは、ばねとカムにより構成されたダンパ機構を内蔵しており、圧板１０２は角度が約１０度以上では、落下せずに停止し、約１０度以下でフラットベッドスキャナ部１３０に自重で閉まるようになっている。さらに、ヒンジ１５０ａは圧板の重心の近傍に、ヒンジ１５０ｂは重心Ｇから離れたところに設けられ、それに応じて、ばねの力もヒンジ１５０ａの方を強力にしてある。いわば、１５０ａがメインヒンジ、１５０ｂがサブヒンジとして機能している。このようにすることで、強いばねや構造体のために、コストのかさむヒンジを一つだけにし、もう一方をコストの低いものとすることができる。
【００３２】
［光学系・ＣＣＤイメージセンサ部］
シート読取部１０７に原稿Ｓを搬送させながら読み取る場合、光源を保持したミラー台１０８ａは、シート読取部１０７の下部に固定され、原稿Ｓがシート読取部１０７を通過していくことにより、原稿読取が行われる。また、ブック原稿Ｂを読み取る場合、原稿台ガラス１０３ａ上にブック原稿Ｂをセットし、ミラー台１０８ａが、副走査方向（矢印１０８ｂ）に移動することにより、原稿読取が行われる。
【００３３】
［原稿搬送部］
原稿搬送部１０６は、原稿載置台１０２ｂ上に積載した原稿Ｓを、まず、予備搬送ローラ１０２ｄと、予備搬送押圧板１０２ｃとにより搬送し、分離片１０６ａと圧接した分離ローラ１０６ｂとで１枚ずつ分離し、さらに、押圧ばねにより押圧された給送コロ１０６ｆと原稿給紙ローラ１０６ｅとで、シート読取部１０７に搬送する。１０７ａは、原稿押さえである。シート原稿読取時には、ミラー台１０８ａを、原稿押さえ１０７ａの下に静止させた状態で読取が行われる。読み取られた原稿Ｓは、原稿排紙コロ１０６ｈと原稿排紙ローラ１０６ｇとにより、原稿排紙トレイ１０９に排出される。
【００３４】
原稿搬送部１０６は、前述の如く圧板１０２の一部に設けられ、圧板１０２を開いたときには、原稿搬送部１０６も上に上がる構成となっており、原稿ジャムなどの際に、原稿搬送路を容易に解除することができる。
【００３５】
原稿載置台１０２ｂには、原稿Ｓの搬送方向と直角方向（原稿Ｓの幅方向）にスライド可能なスライダ１０２ａが設けられていて、このスライダ１０２ａによって、原稿載置台１０２ｂ上に載置された原稿Ｓの両サイドを揃えることができるようになっている。
【００３６】
［記録装置部］
記録装置部１０４は、装置下部に配置されている。汎用サイズのシート材Ｐが積層収容されたカセット１１２ａ内のシート材Ｐを、給送ローラ対１１２ｂにより１枚ずつ分離し、レジストローラ対１２４によりシート材Ｐの斜行を補正し、制御部１２０からのプリント信号と同期させ、シート材Ｐを転写ローラ１１１ｆが位置する画像形成部へ給送する。
【００３７】
そして、帯電部材１１１ｂにより、静電潜像担持体たる感光ドラム１１１ａの表面を一様に帯電させ、この表面はレーザスキャナー１１０により、画像情報に基づいて露光される。これにより、感光ドラム１１１ａ上に静電潜像を形成させ、前記画像形成部の現像剤としてのトナーを、現像剤担持体たる現像スリーブ１１１ｃにより、感光ドラム１１１ａ上の静電潜像に転移させることで、感光ドラム１１１ａ上にトナー像が形成される。そして、上記トナー像が形成されたトナー画像は、転写ローラ１１１ｆによりシート材Ｐに転写され、さらに、前記シート材Ｐは、定着部１１６へ搬送される。定着部１１６では、シート材Ｐ上に転写されたトナーを、定着ローラ１１６ｂと加圧ローラ１１６ａにより搬送し、熱と圧力によりシート材Ｐ上に定着したのち、このシート材Ｐは排紙ローラ対１１７により記録紙排紙トレイ１１３に順次排出される。なお、感光ドラム１１１ａ、帯電部材１１１ｂおよび現像スリーブ１１１ｃは、トナー容器１１１ｄとともに一体のプロセスカートリッジ（以下、ＣＲＧという）１１１を形成しており、トナー切れやドラム摩耗にともなうメンテナンス時にＣＲＧごと交換できるようになっている（後述）。
【００３８】
一方、手差し用給紙部１２５に積載されたシート材Ｐは、給紙ローラ１２５ａと対向位置に配置された分離パット１２５ｂにより１枚に分離され、レジストローラ対１２４により、シート材Ｐの斜行を補正し、前述の様にシート材Ｐを搬送し、画像形成部でトナー画像を転写し、定着部１１６で定着し、同様にシート材Ｐを記録紙排紙トレイ１１３に順次排紙するようになっている。
【００３９】
記録装置部１０４は、カセット給紙部１１２のうちのカセット１１２ａと、記録紙排紙トレイ１１３とが、枠体２００にすえつけられ、残りの給送ローラ対１１２ｂ、レジストローラ対１２４、手差し用給紙部１２５、画像形成部、定着部１１６、排紙ローラ対１１７が、記録エンジン部１１４として一つのフレーム構造（引き出しフレーム構造）にまとめられている。記録エンジン部１１４は、後述するように、レール部１０ａ、１０ｂによって枠体２００から引き出すことができるように支持されている。
【００４０】
［制御部］
図１３により、本発明を実施したファクシミリ装置の制御部（制御手段）１２０のブロック図の例を説明する。
【００４１】
読取部、記録部、操作部、通信制御部、ＬＣＤ（表示部）、スピーカ、ＣＰＵ（中央演算処理回路）、ＭＰＵ、ＲＡＭ，ＲＯＭ、画像処理部で構成されている。３０１は、ファクシミリ装置全体を制御するＣＰＵであり、ＭＰＵ３１１、ＭＰＵ３１１の制御プログラム等を格納するＲＯＭ３１２、各種データ処理のワークエリアや画像情報の一時的記憶部として使用されるＲＡＭ３１３、画像の変倍、解像度変換等を行う画像処理部３１４等により構成されている。また、ＣＰＵ３０１には、公知の構成からなるカレンダ、時計機能などが備えられ、ＲＡＭ３１３のうちワンタッチキー宛先情報、ソフトウェアスイッチ情報等の重要なシステム設定情報を格納する領域はバッテリーバックアップによって停電等の不慮の障害から保護されている。ファクシミリ装置の制御系は、上述のＣＰＵ３０１と、インターフェース３４０で接続した各要素３０２〜３０６，３４１と３１０とを、インタフェース３０９を通じて結合した構成をとるものである。
【００４２】
読取部３０４は、図示しない読取モータ等の駆動部、画像の読取を行う読取センサ、読取った画像のシェーディングや２値化を行う画像処理部、原稿検知等を行う各種センサ等からなる。
【００４３】
記録部３０５は、図示しない記録モータ等の駆動部、レーザースキャナや電子写真プロセスの制御等を行う記録ユニット、記録する画像のスムージング等を行う画像処理部、記録紙等の検知を行う各種センサからなる。
【００４４】
発呼、着呼、画像データの符号化等を行う通信制御部３０６は、図示しないＭＯＤＥＭ、ＮＣＵ等からなる接続部を持ち、接続部には通信網、ハンドセットが接続されている。
【００４５】
ＣＰＵ外部インタフェース３０９は、ＣＰＵ３０１から直接データの送受信を行うインタフェースであり、例えば、ＲＳ２３２Ｃ、ＳＣＳＩ、ＬＡＮ等の回線を通じて装置外部のコンピュータと接続することで、装置を外部のコンピュータのスキャナプリンタ等として使用する。ＨＤＤ３１０は大容量の不揮発性メモリとして画像情報等の保存に使用される。
【００４６】
次に、図３から図１０を用いて、本発明を詳細に説明する。
【００４７】
本ファクシミリ装置は、図３のように記録エンジン部１１４を枠体２００から側方のＢ方向に引き出して、ＣＲＧ１１１の挿入部を大きく開口し、蓋１５０を開いてＣＲＧ１１１を交換できるようになっている。このとき、フラットベッドスキャナ１３０は、枠体２００に据え置かれたままである。
【００４８】
また、図４に示すように、搬送路でジャムした記録シート材Ｐを処理する際も、同様にしてＣＲＧ１１１を抜き出して搬送路を開放し、容易にジャムした記録シート材Ｐを取り除くことができる。一方、カセット１１２ａは、装置前方のＣ方向（操作者の手前側）に引き出して、記録シート材Ｐをセットできるようになっている。この方式は、一般にフロントローディング方式と呼ばれ、カセット１１２ａを、装置側方に引き出す方式に比べて操作性が良い。記録エンジン部１１４は、側方のＢ方向に、カセット１１２ａは前方のＣ方向に、互いに異なった方向（本実施の形態では交差する方向）に引き出されることになる。
【００４９】
記録エンジン部１１４を引き出すための機構について説明する。
【００５０】
図５は、図３のＡ−Ａ線断面図であり、枠体２００と記録エンジン部１１４とは、レール部２０ａ、２０ｂで連結されている。レール部２０ａ、２０ｂは本装置においては、左右対称である。図６にレール部２０ａの詳細を示す。同図において、１は記録エンジン部１１４のフレーム、２はフレーム１に固定されたレールベース、３はレールベースに固定されたスライドレールで、フレーム１からスライドレール３までで、記録装置部１０４側のレールが構成されている。４は枠体２００に固定された軸、５は軸４に回転自在に指示されたボールベアリング、６はボールベアリング５の抜け止めようのＥリングである。枠体２００および軸４からＥリング６までで読取部側のレールが構成され、ボールベアリング５がスライドレール３に沿って転がることで、記録エンジン部１１４が枠体２００に対してスライド（引き出し）動作をする。レール部２０ａには、このボールベアリングのセットが２組、レール部２０ｂにも、このボールベアリングのセットが２組設けられていて、記録エンジン部１１４全体が、ガタつきなくスムーズに引き出される。なお、記録エンジン部１１４が引き出されて開いたとき、および閉じたときには、それぞれの位置で、記録エンジン部１１４が固定されるように、不図示のロック機構が設けてある。
【００５１】
さて、本ファクシミリ装置において、記録エンジン部１１４には、記録シート材の有無を検知するためのシート材有無センサ１１，１０が設けられている。図７に示すように、シート材有無センサは、ポリスチレン製の紙無し検知アーム１０、フォトインタラプタ１１、フォトインタラプタ１１を保持する紙無し検知ホルダ１２等から成っている。紙無し検知ホルダ１２は、紙無し検知アーム１０を支点１０ａで回動支持し、紙無し検知アーム１０の紙接触部１０ｃは、記録シート材の有無に応じて上下動する。
【００５２】
記録シート材Ｐは、カセット１１２ａ内の中板１１２ｃ上に積載され、記録シート材Ｐが無くなると、紙無し検知アーム１０の紙接触部１０ｃが、中板１１２ｃに開けた穴から図中Ｄの位置まで下に垂れ下がって、それに応じて紙無し検知アーム１０のアクチュエータ１０ｂがフォトインタラプタ１１の検知光を遮ることで記録シート材の有無を判定している。
【００５３】
紙無し検知ホルダ１２は、紙無し検知アーム１０とフォトインタラプタ１１とを保持した状態で、さらに記録エンジン部１１４に取り付けられており、記録エンジン部１１４が、枠体２００に対してスライド（引き出し）動作をする際、紙無し検知ホルダ１２は、一緒に動作する。一方、カセット１１２ａは、枠体２００側に残る。
【００５４】
ところが、紙無し検知アーム１０は、図８のように、カップ部１０Ａと柄部１０ｈとからなるスプーン状の形状をしているので、図９に示すように、記録エンジン部１１４のスライド動作に応じて、支点１０ａを中心にスムーズに上下に回動し、カセット１１２ａの側壁や中板１１２ｃの穴の縁に引っかかることがない。これは、紙無し検知アーム１０のカップ部１０Ａの、なだらかな斜面１０ｄ、１０ｅが、カセット１１２ａの側壁１１２ｄの凹部１１２ｆ等から受ける力（接線方向の摩擦力と法線方向の垂直抗力との合力）が、支点１０ａを中心として紙無し検知アーム１０を時計方向に回転させる向きに働いて、紙無し検知アーム１０を上方に持ち上げることによる。
【００５５】
また、図９のＢ方向から見た図１０からもわかるように、カセット１１２ａの引き出し動作時にも、紙無し検知アーム１０の斜面１０ｆ、１０ｇがカセット１１２ａの側壁等から受ける斜め上方への力が、支点１０ａを中心として紙無し検知アーム１０を、図９の時計方向に回転させる向きに働いて、紙無し検知アーム１０を上方に持ち上げるので、引っかからない。
【００５６】
以上述べたように、本ファクシミリ装置は、上方に着脱できるＣＲＧ１１１と、使用時に場所をとらない省スペースの原稿台固定型の読取部とを用い、カセット１１２ａを装置手前に引き出すフロントローディング方式を採用しているにもかかわらず、シート材有無センサ１０，１１の紙無し検知アーム１０を退避させながら、記録部（記録装置部）を側方に引き出すことで、装置の高さを低く抑えることに成功している。これにより、装置を通常の机上においても、原稿台ガラス面が適度な高さに位置するようになるため、操作性を損なうことがない。また、専用の載置台も不要なので、ユーザの無駄な出費を防ぐことができる。
【００５７】
さらに、フラットベッドスキャナ１３０を枠体２００から分割してスライドさせる方式に比べて、枠体構成を機械的に強固なものにすることができるので、耐静圧・落下・振動に優れた、故障の少ない装置とすることができる。
【００５８】
〈実施の形態２〉
実施の形態１では、紙無し検知アームをポリスチレン製としたが、表面の摩擦係数の小さなＰＰＳ（ポリフェニレンサルファイト）や、金属等を用いることで、紙無し検知アーム１０のカップ部１０Ａの斜面を、やや急なものにしても、カセット１２０ａの側壁等に引っかからないようにすることができる。これにより、紙無し検知アーム１０自体を小型化し、ひいては、装置を小型で低コストのものとすることができる。
【００５９】
〈実施の形態３〉
図１１に示すように、紙無し検知アーム１０を、紙無し検知ホルダ１２に対してばね１３で付勢して、紙接触部１０ｃの重さを軽減することもできる。このようにすると、記録シート材Ｐが残りわずかになったときに、紙無し検知アーム１０が、中板１１２ｃの穴ごしに記録シート材Ｐを押して部分的に変形させ、記録品質を落としたり、または、記録シート材Ｐがあるのに紙無しと誤検知してしまったりすることがなくなる。
【００６０】
〈実施の形態４〉
実施の形態３と同様の効果を、ばねではなくて、図１２のように、紙無し検知アーム１０のカップ部１０Ａの近傍に回動中心を設けると共に、柄部１０ｈを延ばして、バランス取りをすることでも達成できる。紙無し検知アーム１０Ａ自体は、大きくなってしまうが、ばねを用いずにすむので、低コストの装置とすることができる。
【００６１】
〈実施の形態５〉
実施の形態１では、画像記録装置としてファクシミリ装置を取り上げたが、本発明に係る画像記録装置は、複写機に適用しても同じ効果が得られる。
【００６２】
〈実施の形態６〉
読取部には、実施の形態１で述べたようなＡＤＦ付きの圧板だけでなく、両面を読むことのできるＲＤＦや、単なる圧板などの、各種読取アクセサリを装着することもできる。いずれの場合も、枠体２００を一体の構造物として固定しているので、これらのアクセサリの装着が容易である。
【００６３】
〈実施の形態７〉
実施の形態１では、記録装置部１０４として、レーザビームプリンタを用いたが、これの代わりに熱転写方式や、インクジェット方式の記録装置部１０４とすることもできる。記録装置部１０４が、熱転写方式の場合でも、インクフィルムをカートリッジ式にして、上部に脱着できるようにすると操作性がよくなるし、インクジェット方式の場合も、インクは上部から噴射する構造上、インクカートリッジは、上部に脱着できるように構成する必要があり、本発明を適用することで、実施の形態１と同等の効果を期待することができる。
【００６４】
【発明の効果】
以上説明したように、本発明によれば、記録シート材に画像情報を記録する記録装置部と、シート材を収納するカセットとを、カセット内のシート材の有無を検知するセンサが記録装置に備えているにも係らず、枠体に対して異なる方向に引き出し可能にしたので、カセットへのシート材の収納や、記録装置部へのメンテナンス操作等を、容易に行うことができる。これにより、例えば、記録装置部の上方に、使用時に場所をとらない省スペースの原稿台固定型の原稿読取部を、装置の高さを大きくすることなく配置することができる。
【図面の簡単な説明】
【図１】本発明に係る画像記録装置としてのファクシミリ装置の外観斜視図。
【図２】同じく、ファクシミリ装置の縦断正面図。
【図３】同じく、ファクシミリ装置の記録装置部の引き出し状態を示す動作図。
【図４】同じく、カセットの引き出し、及び記録装置部の引き出し状態を示す画像記録装置の外観斜視図。
【図５】同じく、ファクシミリ装置の図３におけるＡ−Ａ線断面図。
【図６】同じく、画像記録装置の図３におけるＢ視図。
【図７】同じく、シート材有無センサ部の動作を示す縦断側面図。
【図８】同じく、シート材有無センサの紙無し検知アームの斜視図。
【図９】同じく、引き出された記録装置部の縦断正面図。
【図１０】同じく、シート材有無センサ部の図９におけるＢ視図。
【図１１】同じく、紙無し検知アームの他の実施の形態を示す側面図。
【図１２】同じく、紙無し検知アームの他の実施の形態を示す側面図。
【図１３】同じく、本発明の画像記録装置の制御に係るブロック図。
【符号の説明】
Ｐ                記録用のシート材
１０              紙無し検知アーム
１０Ａ            紙無し検知アームのカップ部
１０ｈ            紙無し検知アームの柄部
１１              フォトインタラプタ
１０，１１        シート材有無センサ
１０４            記録装置部
１０７            シート読取部（原稿の読取部）
１１１            プロセスカートリッジ（記録手段）
１１２ａ          カセット
１１４            記録エンジン部
１３０ａ          原稿台ガラス（原稿の読取部）
１０８            ＣＣＤイメージセンサ（読取センサ）
２００            枠体
【図１】
0004077931.tif 000002
【図２】
0004077931.tif 000003
【図３】
0004077931.tif 000004
【図４】
0004077931.tif 000005
【図５】
0004077931.tif 000006
【図６】
0004077931.tif 000007
【図７】
0004077931.tif 000008
【図８】
0004077931.tif 000009
【図９】
0004077931.tif 000010
【図１０】
0004077931.tif 000011
【図１１】
0004077931.tif 000012
【図１２】
0004077931.tif 000013
【図１３】
0004077931.tif 000014